(57)【要約】【課題】記憶媒体の容量不足が発生した場合に、予約録画の実行に失敗するという状況を回避することが可能な録画予約システムを提供する。【解決手段】録画予約内容に対して記憶媒体１５０の残容量が不足している場合に、記憶媒体１５０に録画されている番組のリストを作成し、電子メールで録画予約者に送信またはネットワークを介してｗｅｂサーバーに登録する。録画予約者は前記番組リストから消去可能な番組を選択し、録画予約システムに電子メールまたはネットワークを介して伝送する。録画予約システムは前記録画予約者が選択した番組を、番組消去手段１２５を用いて記憶媒体１５０から消去する。【選択図】図１
2005341007.tif 000002
【特許請求の範囲】
【請求項１】
番組の録画予約要求を記憶する手段と、録画予約要求に従って記憶媒体に番組を録画する手段と、記憶媒体に録画している番組を消去する手段と、記憶媒体の残容量を管理する手段と、記憶媒体に録画している番組リストを作成する手段を備え、さらに、録画予約要求者の電子メールアドレスを記憶する手段と、録画予約要求者の電子メールアドレスに対して電子メールを送信する手段と、所定の電子メールアドレス宛に送信された電子メールを受信する手段と、受信した電子メールの内容から少なくとも番組消去指令を解読する手段を備えたことを特徴とする録画予約システム。
【請求項２】
番組の録画予約要求を記憶する手段と、録画予約要求に従って記憶媒体に番組を録画する手段と、記憶媒体に録画している番組を消去する手段と、記憶媒体の残容量を管理する手段と、記憶媒体に録画している番組リストを作成する手段を備え、さらに、ネットワークを介してｗｅｂサーバーへ前記番組リストを登録する手段と、ネットワークを介してｗｅｂサーバーからの番組消去指令を受容する手段を備えたことを特徴とする録画予約システム。
【発明の詳細な説明】
【技術分野】
【０００１】
本発明は、録画予約要求者が遠隔地にいた場合でも、記憶媒体の残容量不足によって予約録画に失敗することを回避することが可能な録画予約システムに関する。
【背景技術】
【０００２】
ネットワークや電子メールを利用して遠隔地から録画機器に対して録画予約を行うシステムが提案され、遠隔地からでも録画したい番組（例えばタイトル、時間、放送チャンネルなど）を指定すれば、録画予約を行うことが可能になっている（例えば、特許文献１参照）。
【特許文献１】特開２００２−０６４８８８号公報
【発明の開示】
【発明が解決しようとする課題】
【０００３】
しかしながら、上記のように遠隔地から録画予約情報を指定するだけでは、記憶媒体の残容量が、録画予約された内容に対して不足していた場合に、録画予約された番組を録画することが出来ないという問題がある。
【０００４】
本発明は上記のように記憶媒体の容量不足が発生した場合に、予約録画の実行に失敗するという状況を回避することが可能な録画予約システムを提供することを目的とする。
【課題を解決するための手段】
【０００５】
本発明の請求項１に係る録画予約システムは、番組の録画予約要求を記憶する手段と、録画予約要求に従って記憶媒体に番組を録画する手段と、記憶媒体に録画している番組を消去する手段と、記憶媒体の残容量を管理する手段と、記憶媒体に録画している番組リストを作成する手段を備え、さらに、録画予約要求者の電子メールアドレスを記憶する手段と、録画予約要求者の電子メールアドレスに対して電子メールを送信する手段と、所定の電子メールアドレス宛に送信された電子メールを受信する手段と、受信した電子メールの内容から少なくとも番組消去指令を解読する手段を備え、録画予約要求を受容した時及び記憶媒体の残容量が変化した時に、録画予約要求に対して記憶媒体の残容量が不足しているかどうかの判断を行い、記憶媒体の残容量が前記録画予約要求に対して不足していた場合に、記憶媒体に記憶されている番組リストを録画予約者に電子メールで送信し、録画予約者は前記録画機器から送信された番組リストから消去したい番組を選択して録画機器に対して電子メールを返信し、録画機器は返信された電子メールを解読し、指定された番組を記憶媒体から消去することで、記憶媒体の残容量不足を解消することを特徴とするものである。
【０００６】
本発明の請求項２に係る録画予約システムは、番組の録画予約要求を記憶する手段と、録画予約要求に従って記憶媒体に番組を録画する手段と、記憶媒体に録画している番組を消去する手段と、記憶媒体の残容量を管理する手段と、記憶媒体に録画している番組リストを作成する手段を備え、さらに、ネットワークを介してｗｅｂサーバーへ前記番組リストを登録する手段と、ネットワークを介してｗｅｂサーバーからの番組消去指令を受容する手段を備え、録画予約要求を受容した時及び記憶媒体の残容量が変化した時に、録画予約要求に対して記憶媒体の残容量が不足しているかどうかの判断を行い、記憶媒体の残容量が前記録画予約要求に対して不足していた場合に、記憶媒体に記憶されている番組リストをネットワークを介してｗｅｂサーバーへ登録し、録画予約者は前記ｗｅｂ上に公開された番組リストから消去したい番組を選択し、ｗｅｂサーバーはネットワークを介して録画機器に対して番組消去指令を伝送し、録画機器は指定された番組を記憶媒体から消去することで、記憶媒体の残容量不足を解消することを特徴とするものである。
【発明の効果】
【０００７】
録画予約要求に対して記憶媒体の残容量が不足している場合に、録画予約者が遠隔地から記憶媒体に記憶されている番組を消去することが可能となり、残容量不足による予約録画の失敗を回避することが可能となる。
【発明を実施するための最良の形態】
【０００８】
（実施の形態１）
図１は、本発明の実施の形態１による録画予約システムの構成を示すブロック図である。録画予約システムは、ＣＰＵ１００と、電子メール受信手段１０５と、電子メール解読手段１１０と、電子メール作成手段１１５と、電子メール送信手段１２０と、番組消去手段１２５と、録画予約情報管理手段１３０と、記憶媒体残容量管理手段１３５と、記憶媒体残容量不足判定手段１４０と、番組録画手段１４５と、記憶媒体１５０とで構成されている。
【０００９】
ＣＰＵ１００は、電子メール受信手段１０５と、電子メール解読手段１１０と、電子メール作成手段１１５と、電子メール送信手段１２０と、番組消去手段１２５と、録画予約情報管理手段１３０と、記憶媒体残容量管理手段１３５と、記憶媒体残容量不足判定手段１４０と、番組録画手段１４５及び記憶媒体１５０の動作を制御する。
【００１０】
電子メール受信手段１０５は、録画予約者から送信される電子メールを受信する。電子メール解読手段１１０は、電子メール受信手段１０５で受信した電子メールの内容を解読する。電子メール作成手段１１５は、記憶媒体１５０に記憶されている番組のリストを、録画予約情報管理手段１３０で管理されている録画予約者の電子メールアドレスに対して、電子メール送信手段１２０によって送信するための電子メール文書を作成する。電子メール送信手段１２０は、電子メール作成手段１１５で作成された電子メール文書を送信する。番組消去手段１２５は、電子メール解読手段１１０で解読した消去番組情報に従って、記憶媒体１５０に記憶されている番組を消去する。
【００１１】
録画予約情報管理手段１３０は、録画予約情報と録画予約者の電子メールアドレスを記憶する。記憶媒体残容量管理手段１３５は、記憶媒体１５０の残容量を記憶する。記憶媒体残容量不足判定手段１４０は、録画予約時及び記憶媒体残容量管理手段１３５によって記憶されている記憶媒体残容量に変化があった場合に、録画予約情報管理手段１３０で記憶されている録画予約情報に従う予約録画を実行するのに必要な記憶媒体の容量と、記憶媒体残容量管理手段１３５で記憶されている記憶媒体残容量とを比較し、記憶媒体残容量が不足しているかどうかを判定する。番組録画手段１４５は、録画予約情報管理手段１３０で記憶されている録画予約情報に従って、記憶媒体１５０へ番組を録画する。記憶媒体１５０は、録画された番組を記憶する。
【００１２】
次に、図１を用いて記憶媒体残容量不足による予約録画の失敗を回避する動作を説明する。
【００１３】
録画予約者は、リモートコントローラーや電子メールまたはネットワークなどを用いて録画したい番組の予約と電子メールアドレスの登録を行い、録画予約システムは、録画予約情報管理手段１３０に録画予約情報と録画予約者の電子メールアドレスを記憶する。この時、記憶媒体残容量不足判定手段１４０は、録画予約情報管理手段１３０に記憶された録画予約情報から予約録画を実行するために必要な記憶媒体の容量を算出し、その結果と記憶媒体残容量管理手段１３５に記憶されている記憶媒体残容量とを比較する。比較結果で記憶媒体残容量が録画予約を実行するために必要な記憶媒体の容量に対して不足していた場合に、電子メール作成手段１１５は、記憶媒体１５０に記憶されている番組のリストを文書化し、録画予約情報管理手段１３０に記憶されている録画予約者の電子メールアドレス宛に送信する電子メールを作成し、電子メール送信手段１２０を用いて電子メールを送信する。
【００１４】
録画予約者は、電子メール作成手段１１５で作成された、記憶媒体１５０に記憶されている番組リスト情報を含む電子メールを受信し、受信した番組リスト情報から消去可能な番組を選択し、録画予約システムに電子メールを返信する。録画予約システムは、録画予約者から返信された電子メールを電子メール受信手段１０５で受信する。電子メール解読手段１１０は電子メール受信手段１０５で受信した電子メールから、消去可能な番組を解読し、番組消去手段１２５を用いて消去可能な番組を記憶媒体１５０から消去する。記憶媒体残容量管理手段１３５は、記憶媒体１５０の残容量変化に応じて記憶している記憶媒体１５０の残容量値を更新する。また、記憶媒体残容量管理手段１３５は、番組録画手段１４５が記憶媒体１５０へ番組を録画したことによる記憶媒体１５０の残容量変化に応じても記憶している記憶媒体１５０の残容量値を更新する。
【００１５】
憶媒体残容量不足判定手段１４０は記憶媒体残容量管理手段１３５が記憶している記憶媒体１５０の残容量値が更新された際に上述の比較処理を行い、記憶媒体残容量が予約録画を実行するために必要な記憶媒体の容量に対して不足していた場合に、録画予約システムは上述の予約録画者が遠隔地から消去可能な番組を記憶媒体１５０から消去するための一連の処理を行う。これら処理により、たとえ録画予約者が遠隔地にいたとしても、記憶媒体不足による予約録画の失敗を回避することが可能となる。
【００１６】
なお、上記実施の形態では、記憶媒体１５０の残容量が予約録画を実行するために必要な記憶媒体の容量に対して不足していた場合に、記憶媒体１５０に記憶されている番組リストを作成するとしたが、録画予約要求の有無に拘らず記憶媒体１５０に記憶している内容に変化があった場合に常に番組リストを作成しても良い。
【産業上の利用可能性】
【００１７】
本発明の録画予約システムは、記憶媒体の残容量不足による予約録画失敗の回避手段を遠隔地にいる録画予約者に提供するものであり、ＨＤＤやＤＶＤなど番組録画及び消去が可能な記憶媒体を有する録画機器の録画予約システムとして有用である。
【図面の簡単な説明】
【００１８】
【図１】本発明の実施形態における録画予約システムの構成を示すブロック図
【符号の説明】
【００１９】
１００    ＣＰＵ
１０５    電子メール受信手段
１１０    電子メール解読手段
１１５    電子メール作成手段
１２０    電子メール送信手段
１２５    番組消去手段
１３０    録画予約情報管理手段
１３５    記憶媒体残容量管理手段
１４０    記憶媒体残容量不足判定手段
１４５    番組録画手段
１５０    記憶媒体
【図１】
2005341007.tif 000003